(57)【特許請求の範囲】
【請求項１】
暖房用ファンの作動により室内空気が流通する暖房用空気路に、当該室内空気を加熱する暖房用加熱部を配置し、
除湿用ファンの作動により室内空気が流通する除湿用空気路に、回転駆動する通気性吸湿体からなるデシカントロータの吸湿部を配置し、
再生用ファンの作動により再生用ガスが循環する再生用循環路に、当該再生用ガスを加熱する再生用加熱部と、前記デシカントロータの再生部と、当該再生用ガスを空冷して水分を凝縮させる凝縮部とを順に配置してなり、
前記暖房用ファン及び前記暖房用加熱部を作動させる暖房運転と、前記除湿用ファン及び前記再生用ファン及び前記再生用加熱部を作動させる除湿運転とを実行可能な空調装置であって、
前記凝縮部が、前記暖房用空気路における前記暖房用加熱部の上流側を流通する室内空気により空冷されるように配置されている空調装置。
【請求項２】
前記暖房用加熱部が、前記暖房用空気路を流通する室内空気の少なくとも一部を燃焼用空気として利用して燃料を燃焼させる燃焼部で構成されている請求項１に記載の空調装置。
【請求項３】
室内温度を検出する温度検出手段と、
室内湿度を検出する湿度検出手段と、
前記暖房運転と前記除湿運転とを同時に実行しながら、前記温度検出手段及び前記湿度検出手段の検出結果に基づいて、当該暖房運転及び除湿運転の夫々の運転出力を制御して、前記室内温度及び前記室内湿度を所定の目標範囲内に設定する制御手段を備えた請求項２に記載の空調装置。
【請求項４】
前記再生用加熱部が、前記燃焼部の燃焼熱により前記再生用ガスを加熱する再生用熱交換器で構成されている請求項２又は３に記載の空調装置。
【請求項５】
前記再生用加熱部が、電気エネルギにより前記再生用ガスを加熱する再生用電気ヒータで構成されている請求項１〜３の何れか一項に記載の空調装置。
【発明の詳細な説明】
【技術分野】
【０００１】
本発明は、暖房用ファンの作動により室内空気が流通する暖房用空気路に、当該室内空気を加熱する暖房用加熱部を配置し、
除湿用ファンの作動により室内空気が流通する除湿用空気路に、回転駆動する通気性吸湿体からなるデシカントロータの吸湿部を配置し、
再生用ファンの作動により再生用ガスが循環する再生用循環路に、当該再生用ガスを加熱する再生用加熱部と、前記デシカントロータの再生部と、当該再生用ガスを空冷して水分を凝縮させる凝縮部とを順に配置してなり、
前記暖房用ファン及び前記暖房用加熱部を作動させる暖房運転と、前記除湿用ファン及び前記再生用ファン及び前記再生用加熱部を作動させる除湿運転とを実行可能な空調装置に関する。
【背景技術】
【０００２】
従来の空調装置として、室内の暖房を行う暖房運転と共に、デシカントロータを利用した除湿を行う除湿運転を実行可能なものが知られている（例えば、特許文献１及び２を参照。）。
【０００３】
上記特許文献１に記載の空調装置は、暖房用ファンの作動により室内空気が流通する暖房用空気路に、当該暖房用空気路を流通する室内空気の少なくとも一部を燃焼用空気として利用して燃料を燃焼させる燃焼部が、当該室内空気を加熱する暖房用加熱部として配置されている。そして、この暖房用ファンを作動させて暖房用空気路において燃焼部により加熱された室内空気を室内に吹き出すことで、室内の暖房を行う暖房運転が実行される。
【０００４】
一方、除湿用ファンの作動により室内空気が流通する除湿用空気路に、回転駆動する通気性吸湿体からなるデシカントロータの当該室内空気の水分を吸着する吸湿部が配置されていると共に、再生用ファンの作動により再生用ガスが循環する再生用循環路に、上記燃焼部の燃焼熱により当該再生用ガスを加熱する再生用熱交換器と、前記デシカントロータの当該再生用ガスに水分を放出する再生部と、当該再生用ガスを空冷して水分を凝縮させる凝縮部とが順に配置されている。
そして、除湿用ファンを作動させて、当該デシカントロータの回転領域の一部に配置された吸湿部に、室内から除湿用空気路に流入した室内空気を通過させることで、除湿用空気路を通過する室内空気の水分を、そのデシカントロータに吸収させて、その水分が吸収された後の低湿の室内空気を室内に吹き出すことで、室内の除湿を行う除湿運転が実行される。
また、この除湿運転において、デシカントロータを回転駆動しながら、再生用ファン及び再生用熱交換器を作動させて、当該デシカントロータの回転領域の上記吸湿部とは別の部分に配置された再生部に、凝縮部で水分が凝縮され再生用熱交換器で加熱された高温低湿の再生用ガスを通過させることで、当該デシカントロータの吸湿能力が再生される。
【０００５】
この特許文献１に記載の空調装置では、上記凝縮部が、除湿用空気路におけるデシカントロータの吸湿部の上流側を流通する室内空気により空冷されるように配置されている。即ち、除湿運転において、除湿用ファンを作動させることにより、除湿用空気路では、室内から流入した室内空気が、先ず、凝縮部を空冷することで昇温し、次に、デシカントロータの吸湿部を通過して水分が吸収されることで湿度低下した後に、室内に吹き出されることになる。
一方、暖房運転において、暖房用ファンを作動させることにより、暖房用空気路では、室内から流入した室内空気が、直接暖房用加熱部で加熱された後に、室内に吹き出されることになる。
【０００６】
上記特許文献２に記載の空調装置は、上記特許文献１に記載のものとは異なり、再生用ファンや除湿用ファンが省略され、暖房用空気路における燃焼部の上流側に設けられた一つのファンの作動により、暖房用の空気供給、除湿用の室内供給、再生用の空気供給、凝縮部の空冷用の空気供給を行うように構成されている。
【０００７】
【特許文献１】特開２０００−３０４３００号公報
【特許文献２】特開平１１−２４８２５１号公報
【発明の開示】
【発明が解決しようとする課題】
【０００８】
上記特許文献１に記載の空調装置では、凝縮部が、除湿用空気路におけるデシカントロータの吸湿部の上流側を流通する室内空気により空冷されるように配置されているので、除湿運転において、その除湿用空気路を流通する室内空気には、上記凝縮部を空冷するための空冷部と上記吸湿部との両方を通過するために比較的大きな圧力損失がかかることになる。そして、このような除湿用空気路における圧力損失が大きいことにより、吸湿部を通過する室内空気の流量低下により、除湿能力が低下することが懸念される。また、このような除湿能力の低下を回避するために、除湿用ファンとして比較的大型のファンを設置した場合には、装置が大型化してしまうという問題が発生する。
更に、除湿用空気路において、デシカントロータの吸湿部には、凝縮部を空冷して昇温した室内空気が通過することになるので、その吸湿部の昇温により、除湿能力が低下することも懸念される。そして、このようなデシカントロータの吸湿部の昇温に起因する吸湿能力の低下を回避するために、比較的大型のデシカントロータを設置した場合にも、上記と同様に装置が大型化してしまうという問題が発生する。
【０００９】
また、上記特許文献２に記載の空調装置は、一つのファンの作動により、燃焼部に不完全燃焼が発生しない充分な量の燃焼用空気を供給しながら、除湿用の空気、再生用の空気、凝縮部の空冷用の空気を供給する必要があるので、当該ファンとしては大きな風量及び風圧を有するシロッコファンなどの大型且つ騒音が大きいファンを設置する必要がある。更に、夫々の空気が流れる多数の流路の夫々に空気の流通を断続可能な開閉弁を設置する必要があるので、上記大型のファンとこれら多数の開閉弁との設置により、装置が非常に大型化してしまうという問題がある。
【００１０】
本発明は、上記の課題に鑑みてなされたものであり、その目的は、暖房用空気路に暖房用加熱部を配置し、除湿用空気路にデシカントロータの吸湿部を配置し、再生用循環路に再生用加熱部とデシカントロータの再生部と凝縮部とを順に配置してなり、暖房運転と除湿運転とを実行可能な空調装置において、良好な除湿能力を発揮しながら小型化が可能な技術を提供する点にある。
【課題を解決するための手段】
【００１１】
上記目的を達成するための本発明に係る空調装置は、暖房用ファンの作動により室内空気が流通する暖房用空気路に、当該室内空気を加熱する暖房用加熱部を配置し、
除湿用ファンの作動により室内空気が流通する除湿用空気路に、回転駆動する通気性吸湿体からなるデシカントロータの吸湿部を配置し、
再生用ファンの作動により再生用ガスが循環する再生用循環路に、当該再生用ガスを加熱する再生用加熱部と、前記デシカントロータの再生部と、当該再生用ガスを空冷して水分を凝縮させる凝縮部とを順に配置してなり、
前記暖房用ファン及び前記暖房用加熱部を作動させる暖房運転と、前記除湿用ファン及び前記再生用ファン及び前記再生用加熱部を作動させる除湿運転とを実行可能な空調装置であって、その第１特徴構成は、前記凝縮部が、前記暖房用空気路における前記暖房用加熱部の上流側を流通する室内空気により空冷されるように配置されている点にある。
【００１２】
上記第１特徴構成によれば、デシカントロータを回転駆動しながら、再生用ファン及び再生用加熱部を作動させて、再生用循環路においてデシカントロータの再生部に凝縮部及び再生用加熱部を通過して高温低湿となった再生用ガスを通過させることで、当該デシカントロータの吸湿能力を再生させながら、除湿用ファンを作動させて、除湿用空気路においてデシカントロータの吸湿部に室内空気を通過させ、デシカントロータにより水分が吸収され低湿となった室内空気を室内に吹き出すことで、室内の除湿を行う除湿運転を実行することができる。
【００１３】
更に、上記凝縮部が、暖房用空気路における暖房用加熱部の上流側を流通する室内空気により空冷されるように配置されているので、上記除湿運転において、暖房用ファンを作動させて、上記凝縮部を空冷するための空冷部に室内空気を通過させることで、凝縮部において再生用ガスを空冷することができる。
よって、除湿用空気路においては、上記凝縮部を空冷するための空冷部を除湿用空気路におけるデシカントロータの吸湿部の上流側に配置する場合と比較して、上記空冷部が配置されなくなった分、圧力損失が低減するので、除湿用ファンとして比較的小さな送風能力を有する小型のファンを設置することができる。更には、デシカントロータの吸湿部を通過する室内空気は、上記空冷部を通過して昇温したものではなく、室内から直接供給された比較的低温の室内空気であるので、吸湿部の温度を低く保って高い吸湿能力を発揮させることができ、結果、所望の吸湿能力を発揮させるためのデシカントロータの寸法を比較的小型に設定することができる。
【００１４】
一方、暖房用ファン及び暖房用加熱部を作動させて、暖房用空気路において暖房用加熱部により室内空気を加熱し、当該加熱した室内空気を室内に吹き出すことで、室内の暖房を行う暖房運転を実行することができる。
そして、暖房用空気路においては、上記空冷部が暖房用加熱部の上流側に設置されることで、圧力損失が増加することが懸念されるが、暖房用加熱部の上流側の流路断面積が比較的大きく、更に、空冷部を同程度の流路断面積で配置すれば、圧力損失の増加を抑制することができ、暖房用ファンの大型化を抑制することができる。
【００１５】
従って、本発明により、暖房運転と除湿運転とを実行可能な空調装置であって、良好な除湿能力を発揮しながら小型化が可能な空調装置を実現することができる。
【００１６】
本発明に係る空調装置の第２特徴構成は、上記第１特徴構成に加えて、前記暖房用加熱部が、前記暖房用空気路を流通する室内空気の少なくとも一部を燃焼用空気として利用して燃料を燃焼させる燃焼部で構成されている点にある。
【００１７】
上記第２特徴構成によれば、上記暖房用加熱部が、燃料を燃焼させる燃焼部で構成されているので、暖房運転を実行して、この燃焼部で加熱した室内空気を室内に吹き出すことで、燃料が燃焼して生成された水分を室内に放出して、室内の加湿を行うことができる。
【００１８】
本発明に係る空調装置の第３特徴構成は、上記第２特徴構成に加えて、室内温度を検出する温度検出手段と、
室内湿度を検出する湿度検出手段と、
前記暖房運転と前記除湿運転とを同時に実行しながら、前記温度検出手段及び前記湿度検出手段の検出結果に基づいて、当該暖房運転及び除湿運転の夫々の運転出力を制御して、前記室内温度及び前記室内湿度を所定の目標範囲内に設定する制御手段を備えた点にある。
【００１９】
上記第３特徴構成によれば、上記暖房用加熱部が燃料を燃焼させる燃焼部で構成されている場合において、上記温湿度設定手段により、暖房運転と、除湿運転とを同時に実行しながら、温度検出手段で検出された室内温度と湿度検出手段で検出された室内湿度とに基づいて、室内の暖房と加湿を行うことができる暖房運転の運転出力と、室内の除湿を行うことができる除湿運転の運転出力とを制御することで、室内温度を使用者が予め設定した目標室内温度近傍の目標室内温度範囲内に維持しながら、室内湿度を例えばカビの生育が抑制され且つインフルエンザウィルスの死亡率が高くなる適切な目標室内湿度範囲内に維持するというように、室内温度及び室内湿度を所定の目標範囲内に適切に維持することができる。
【００２０】
本発明に係る空調装置の第４特徴構成は、上記第２乃至第３の何れかの特徴構成に加えて、前記再生用加熱部が、前記燃焼部の燃焼熱により前記再生用ガスを加熱する再生用熱交換器で構成されている点にある。
【００２１】
上記第４特徴構成によれば、別の熱エネルギを発生させることなく、暖房運転を実行して燃焼部において燃料を燃焼させることで、その燃焼部の燃焼熱を利用して、上記再生用熱交換器により、再生用循環路を循環する再生用ガスを燃焼部の燃焼熱により加熱することができる。よって、暖房運転を実行する際に、暖房運転と同じ熱源を利用して再生用熱交換器で加熱された再生用ガスをデシカントロータの再生部に通過させ、デシカントロータの吸湿能力を再生させて、除湿運転を実行することができる。
【００２２】
本発明に係る空調装置の第５特徴構成は、上記第１乃至上記第３の何れかの特徴構成に加えて、前記再生用加熱部が、電気エネルギにより前記再生用ガスを加熱する再生用電気ヒータで構成されている点にある。
【００２３】
上記第５特徴構成によれば、再生用電気ヒータを作動させることで、再生用循環路を循環する再生用ガスを当該電気ヒータにより加熱することができる。よって、暖房運転の実行に拘わらず、再生用電気ヒータにより加熱された再生用ガスをデシカントロータの再生部に通過させ、デシカントロータの吸湿能力を再生させて、除湿運転を実行することができる。
【発明を実施するための最良の形態】
【００２４】
本発明に係る空調装置の実施の形態として、図１及び図２に示す第１実施形態の空調装置１００、及び、図３及び図４に示す第２実施形態の空調装置２００の詳細構成について説明する。
【００２５】
〔第１実施形態〕
図１及び図２に示す第１実施形態の空調装置１００は、適宜室内に設置されて、詳細については後述するが、室内を暖房する暖房運転と室内を除湿する除湿運転とを実行するための各種構成を有する。そして、これら各種構成と共に、暖房運転や除湿運転における各種制御を司る制御部５０、及び、その制御部５０に制御情報等を指令するための操作部５１が、筐体１を用いて一体的に組み付けて構成してある。
【００２６】
先ず、上記暖房運転を実行するための構成について説明する。
筐体１内の背面側から前面側にかけて形成された暖房用空気路１０には、クロスフローファン等の暖房用ファン１３が配置されており、その暖房用ファン１３の作動により、室内から暖房用給気口１１を通じて室内空気が流入し、その室内空気が暖房用給気口１１から暖房用吹出口１２まで流通し、その室内空気が暖房用吹出口１２を通じて室内に吹き出されることになる。
そして、この暖房用空気路１０には、当該室内空気を加熱する暖房用加熱部として、上記暖房用ファン１３の上流側に、暖房用空気路１０を流通する室内空気の少なくとも一部を燃焼用空気として利用して天然ガス系都市ガス等の燃料ガスを燃焼させる燃焼部１５が配置されている。
また、燃焼部１５への燃料ガスの供給量を調整可能な調整弁１６（図２参照）が設けられており、制御部５０は調整弁１６の開度を制御して、燃焼部１５の燃焼量を適宜設定可能に構成されている。
【００２７】
この暖房用空気路１０における構成によって、この空調装置１００は、上記暖房用ファン１３及び燃焼部１５を作動させることで、室内から暖房用給気口１１を通じて暖房用空気路１０に流入した室内空気を燃焼部１５において加熱し、その加熱した室内空気を暖房用空気路１０から暖房用吹出口１２を通じて室内に吹き出す形態で暖房運転を実行する。
【００２８】
また、暖房運転において、燃焼部１５の燃焼量を調整する、又は、それに加えて暖房用ファン１３の送風量を調整することで、暖房運転の運転出力、即ち、室内に対する暖房能力を変更することができる。
更に、この暖房運転においては、上記暖房用加熱部が燃料ガスを燃焼させる燃焼部１５で構成されているので、燃料ガスを燃焼させ生成された水分が室内に放出されることになるので、室内の加湿が行われることになる。
【００２９】
また、暖房用空気路１０の暖房用給気口１１近傍には、暖房用給気口１１に流入した室内空気の温度を室内温度として検出する温度センサ５２（温度検出手段の一例）が設けられている。
そして、制御部５０は、この暖房運転において、操作部５１等において予め設定された目標室内温度に対して、温度センサ５２で検出された室内温度の温度差を検出し、その温度差に基づいて燃焼部１５の燃焼量や暖房用ファン１３の送風量等の調整により暖房運転の運転出力を制御することで、室内温度を目標室内温度近傍の目標室内温度範囲内に維持するように構成されている。
また、室内温度を目標室内温度範囲内に維持するにあたり、温度センサ５２で検出された室内温度が目標室内温度範囲を上回ったときに上記暖房運転の実行を停止し、温度センサ５２で検出された室内温度が目標室内温度範囲を下回ったときに上記暖房運転の実行を開始する形態で、暖房運転の開始及び停止を制御するように構成しても構わない。
【００３０】
次に、上記除湿運転を実行するための構成について説明する。
空調装置１００には、駆動用モータ４５により回転駆動する通気性吸湿体からなるデシカントロータ４０が設けられている。
このデシカントロータ４０は、回転軸心Ｘ方向での通気が可能なハニカム状の基材に、吸湿剤を保持して構成されたものであり、このデシカントロータ４０は、回転軸心Ｘを中心に回転自在に支持されており、駆動用モータ４５によりその周部を順次周方向に送る形態で回転駆動される。
尚、この吸湿剤としては、空気中の水分を吸着するシリカゲル、活性アルミナ、合成ゼオライト、活性炭等の吸着剤、あるいは、空気中の水分を吸収する塩化リチウムや塩化カルシウム等の吸収剤を初め、吸湿性を有し、且つ、再生用ガスによる脱湿再生が可能なものであれば種々のものを採用することができる。
【００３１】
そして、このデシカントロータ４０には、その回転領域の一部に、後述する再生用循環路３０の再生用ガスが通過する再生部４１が設けられ、更に、この再生部４１とは反対側の部分に、後述する除湿用空気路２０の室内空気が通過する吸湿部４２が設けられている。
尚、この再生用ガスとしては、空気を利用することが好適であるが、空気以外を用いても良い。
【００３２】
筐体１内の背面側から前面側にかけて形成された除湿用空気路２０には、シロッコファン等の除湿用ファン２３が配置されており、この除湿用ファン２３の作動により、室内から除湿用給気口２１を通じて室内空気が流入し、その室内空気が除湿用給気口２１から除湿用吹出口２２まで流通し、その室内空気が除湿用吹出口２２を通じて室内に吹き出されることになる。
そして、この除湿用空気路２０には、上記デシカントロータ４０の吸湿部４２が配置されている。
【００３３】
一方、筐体１内で循環するように形成された再生用循環路３０には、シロッコファン等の再生用ファン３３が配置されており、この再生用ファン３３の作動により、再生用循環路３０を再生用ガスが循環することになる。
そして、この再生用循環路３０には、当該再生用ガスを加熱する再生用加熱部３１としての再生用電気ヒータ３５と、上記デシカントロータ４０の再生部４１と、当該再生用ガスを空冷して水分を凝縮させる凝縮器３２の凝縮部３２ａとが順に配置されている。
【００３４】
凝縮器３２は、上下方向に延出する複数の管材を互いに平行配置してなる。そして、その管材の内部が、上方から下方に向けて上記再生用ガスが通過する上記凝縮部３２ａとして形成されており、一方、その管材の外部が、空冷用の空気が通過する空冷部３２ｂとして形成されている。
【００３５】
この除湿用空気路２０における構成によって、この空調装置１００は、除湿用ファン２３を作動させて、当該デシカントロータ４０の吸湿部４２に、室内から除湿用給気口２１を通じて除湿用空気路２０に流入した室内空気を通過させることで、除湿用空気路２０を通過する室内空気の水分を、そのデシカントロータ４０に吸収させて、その水分が吸収された後の低湿の室内空気を除湿用吹出口２２を通じて室内に吹き出す形態で除湿運転を実行する。
更に、この再生用循環路３０における構成によって、空調装置１００は、この除湿運転において、駆動用モータ４５を作動させてデシカントロータ４０を回転駆動しながら、再生用ファン３３及び再生用電気ヒータ３５を作動させて、当該デシカントロータ４０の再生部４１に、凝縮部３２ａで水分が凝縮され再生用電気ヒータ３５で加熱された高温低湿の再生用ガスを通過させることで、当該デシカントロータ４０の吸湿能力が再生される。
【００３６】
また、除湿運転において、再生用電気ヒータ３５の加熱量を調整する、又は、それに加えて除湿用ファン２３及び再生用ファン３３の送風量を調整することで、デシカントロータ４０における吸湿能力を変更して、除湿運転の運転出力、即ち室内に対する除湿能力を変更することができる。
【００３７】
また、除湿用空気路２０の除湿用給気口２１近傍には、除湿用給気口２１に流入した室内空気の湿度を室内湿度として検出する湿度センサ５３（湿度検出手段の一例）が設けられている。
【００３８】
そして、制御部５０は、この除湿運転において、操作部等において予め設定された目標室内湿度に対して、湿度センサ５３で検出された室内湿度の湿度差を検出し、その湿度差に基づいて、再生用電気ヒータ３５の加熱量や除湿用ファン２３及び再生用ファン３３の送風量等の調整により除湿運転の運転出力を制御することで、室内湿度を目標室内湿度近傍の目標室内湿度範囲内に維持するように構成されている。
また、室内湿度を目標室内湿度範囲内に維持するにあたり、湿度センサ５３で検出された室内湿度が目標室内湿度範囲を上回ったときに上記除湿運転の実行を停止し、湿度センサ５３で検出された室内湿度が目標室内湿度範囲を下回ったときに上記除湿運転の実行を開始する形態で、除湿運転の開始及び停止を制御するように構成しても構わない。
尚、本実施形態では、上記温度センサ５３により、室内湿度として、室内空気の温度と絶対湿度とから求められる室内空気の相対湿度を検出し、制御部５０により、その湿度センサ５３で検出された相対湿度に基づいて除湿運転の運転出力を制御するように構成されているが、別に、湿度センサ５３により室内の絶対湿度を検出し、制御部により、その湿度センサ５３で検出された絶対湿度に基づいて除湿運転の運転出力を制御するように構成しても構わない。
【００３９】
更に、制御部５０は、上述したような暖房運転と除湿運転とを同時に実行しながら、温度センサ５２及び湿度センサ５３の検出結果に基づいて、当該暖房運転及び除湿運転の夫々の運転出力を制御して、室内温度及び室内湿度を所定の目標範囲内に設定する制御手段として機能するように構成されている。
即ち、上述したように燃焼部１５で燃焼ガスを燃焼させ生成された水分を室内に放出される暖房運転を実行するのと同時に、上記除湿運転を実行することで、室内の加湿と除湿とが同時に行われることになる。よって、上記制御部５０は、上記暖房運転と上記除湿運転とを同時に実行して、更に、温度センサ５２及び湿度センサ５３の検出結果に基づいて暖房運転及び除湿運転の夫々の運転出力を制御することで、室内温度を使用者が予め設定した目標室内温度近傍の目標室内温度範囲内に維持しながら、室内湿度を例えばカビの生育が抑制され且つインフルエンザウィルスの死亡率が高くなる適切な湿度近傍の目標室内湿度範囲内に維持するというように、室内温度及び室内湿度を所定の目標範囲内に適切に維持することができる。
【００４０】
また、上記のようなカビの生育が抑制され且つインフルエンザウィルスの死亡率が高くなる相対湿度は、室内温度が１８℃で４５％〜７２％の範囲内、室内温度が２０℃で４５％〜７０％の範囲内、室内温度が２５℃で４５％〜６５％の範囲内とされているので、上記目標室内湿度範囲は、この室内温度毎の好適な湿度範囲として設定することができる。
【００４１】
次に、制御部５０により暖房運転と除湿運転とを同時に実行する場合において、制御部５０により実行される運転出力の制御方法の具体例について、以下に説明を加える。
【００４２】
制御部５０は、操作部５１の暖房除湿同時運転開始ボタン等の操作に従って、定格運転出力で暖房運転を開始すると共に、それと同時に定格運転出力で除湿運転を開始し、更に、暖房用空気路１０に取り込まれた室内空気の温度を室内温度として温度センサ５２により検出すると共に、除湿用空気路２０に取り込まれた室内空気の湿度を室内湿度として湿度センサ５３により検出する。
【００４３】
また、制御部５０は、上記暖房運転の運転出力については、温度センサ５２の検出結果に基づいて制御することで、室内温度を目標室内温度近傍に維持するように構成されているのであるが、具体的には、以下のように制御するように構成されている。
即ち、制御部５０は、運転開始直後において温度センサ５２により検出された室内温度が、使用者が例えば１８℃〜２５℃の範囲内で予め設定した目標室内温度に対して低い状態である場合に、その室内温度がその目標室内温度を中心に例えば±１℃の幅を有する目標室内温度範囲内になるまでの始動時においては、温度センサ５２により検出した室内温度が目標室内温度範囲内となるまで、暖房運転の運転出力を定格運転出力に維持する。
【００４４】
また、温度センサ５２により検出される室内温度が目標室内温度範囲内となった時点以降の定常運転時においては、単位時間毎（例えば５分毎）に、温度センサ５２により室内温度を検出して、その室内温度が目標室内温度範囲内にあるか否かを監視する。
また、この定常運転時において、使用者による目標室内温度の設定変更や環境条件の変化により、室内温度が目標室内温度範囲から乖離した場合には、その目標室内温度に対する室内温度の温度差に応じて暖房運転の運転出力を調整することで、室内温度を目標室内温度範囲内に移行させることができる。
【００４５】
一方、制御部５０は、上記除湿運転の運転出力についは、湿度センサ５３の検出結果に基づいて制御することで、室内湿度を目標室内湿度（上述したようなカビの生育が抑制され且つインフルエンザウィルスの死亡率が高くなる相対湿度）近傍に維持するように構成されているのであるが、具体的には、以下のように制御するように構成されている。
即ち、制御部５０は、上述した始動時や定常運転時において、温度センサ５２で検出された室内温度が目標室内温度範囲から乖離している場合には、温度センサ５３で検出される室内温度が例えば１℃変化する毎に、温度センサ５２で検出された室内温度の変化状態と、湿度センサ５３で検出された室内湿度の変化状態とから、温度センサ５２で検出される室内温度が目標室内温度範囲内に移行した時点において到達すると予測される予測室内湿度を求める。そして、制御部５０は、予測室内湿度が目標室内湿度範囲を上回っている場合には、除湿運転の運転出力を増加させ、逆に、予測室内湿度が目標室内湿度範囲を下回っている場合には、除湿運転の運転出力を減少させる又は除湿運転を停止するというように、目標室内湿度に対する予測室内湿度の差に応じて除湿運転の運転出力を調整することで、室内温度が目標室内温度範囲に移行した時点における室内湿度を目標室内湿度範囲内とすることができる。
【００４６】
また、室内湿度が目標室内湿度範囲内となっているときには、制御部５０は、除湿運転の運転出力を最小に減少させる又は除湿運転を停止する。そして、単位時間毎（例えば５分毎）に、湿度センサ５３により室内湿度を検出して、その室内湿度が目標室内湿度範囲内にあるか否かを監視して、室内湿度が目標室内湿度範囲を上回ったときに、再度除湿運転を開始すると共に、その除湿運転の運転出力を、目標室内湿度に対する予測室内湿度の差に応じて調整する。
【００４７】
また、冬季において暖房運転を実行して、燃焼部１５で燃料ガスを燃焼させ生成された水分が室内に放出される場合には、室内湿度が４０％以下に低下することは殆どないと考えられるが、春先のように外気温度が目標室内温度と同程度に高く且つ湿度が低く、暖房運転の運転出力が極めて小さい出力に設定される場合には、室内湿度が４０％以下となる場合がある。また、目標室内湿度が、この時の室内湿度に近い値に設定されている場合には、上記除湿運転の運転出力を極めて小さい出力に設定したり、上記除湿運転を停止することで、室内湿度の上昇を図ることができるが、暖房運転による加湿能力が小さいことから、室内湿度が目標室内湿度に到達しない場合が生じる。
そして、このように室内湿度が低く目標室内湿度に到達しないと判断できる場合には、警告ランプや音声メッセージ等により、その旨を出力するように構成しても構わない。
また、本実施形態では、暖房運転と除湿運転とを同時に実行する場合の制御方法について説明したが、別に、暖房運転及び除湿運転とを個別に実行しても構わない。
【００４８】
尚、上記凝縮器３２の下方には、上記凝縮部３２ａで生成された凝縮水が貯留する凝縮水タンク３７が着脱自在に設けられている。
【００４９】
以上が空調装置１００の基本構成であるが、この空調装置１００は、凝縮器３２の配置状態についての特徴構成を有しており、その特徴構成について以下に説明を加える。
【００５０】
凝縮部３２ａは、暖房用空気路１０における燃焼部１５の上流側を流通する室内空気により空冷されるように配置されている。即ち、凝縮器３２の空冷部３２ｂが、暖房用空気路１０における燃焼部１５の上流側に配置されている。
よって、空調装置１００は、除湿運転において、暖房用ファン１３を作動させることで、室内から暖房用給気口１１を通じて暖房用空気路１０に流入し燃焼部１５で加熱される前の比較的低温の室内空気を、凝縮器３２の空冷部３２ｂに通過させることで、凝縮器３２の凝縮部３２ａを流通する再生用ガスを空冷し、当該再生用ガスの水分を凝縮させるように構成されている。
【００５１】
よって、除湿用空気路２０においては、デシカントロータ４０の吸湿部４２の上流側には、上記空冷部３２ｂのような圧力損失の上昇の要因となるものが配置されていないので、除湿用ファン２３としては、室内空気を上記吸湿部４２に通過させるだけの比較的小さな送風能力を有する小型のシロッコファンが採用されている。
更に、デシカントロータ４０の吸湿部４２は、室内から直接供給された比較的低温の室内空気が通過して温度上昇が抑制されて、単位体積あたりの吸湿能力が高くなるので、デシカントロータ４０としては、比較的小型のものが採用されている。
【００５２】
一方、暖房用空気路１０においては、凝縮器３２の空冷部３２ｂが燃焼部１５の上流側に設置されているが、燃焼部１５の上流側の流路断面積が比較的大きく、上記空冷部３２ｂを同程度の流路断面積で配置しているので、圧力損失の増加が抑制されており、暖房用ファン１３の大型化が抑制されている。
【００５３】
また、上記第１実施形態では、暖房用空気路１０を流通する室内空気を加熱する暖房用加熱部を、当該室内空気の少なくとも一部を燃焼用空気として利用して燃料ガスを燃焼させる燃焼部１５で構成したが、この燃焼部１５としては、灯油等の液体燃料を燃焼させるものであっても構わない。
また、暖房用加熱部を、このような燃焼部ではなく、電気ヒータ等の別の加熱部として構成しても構わない。
【００５４】
〔第２実施形態〕
上記第１実施形態と同様の構成については同じ符号を付して説明を割愛するが、図３及び図４に示す第２実施形態の空調装置２００は、上記第１実施形態と同様に、暖房用空気路１０を流通する室内空気を加熱する暖房用加熱部を、当該室内空気の少なくとも一部を燃焼用空気として利用して燃料ガスを燃焼させる燃焼部１５で構成する場合において、再生用加熱部３１の詳細構成の点で、上記第１実施形態と異なる構成を有する。
即ち、この空調装置２００では、再生用循環路３０を流通する再生用ガスを加熱する再生用加熱部３１が、上記第１実施形態における再生用電気ヒータ３５とは異なり、燃焼部１５の燃焼熱により再生用ガスを加熱する再生用熱交換器３６で構成されている。
【００５５】
この再生用熱交換器３６は、内部に凝縮部３２ａからデシカントロータ４０の再生部４１に向けて再生用循環路３０を流通する再生用ガスが通過し、外部が燃焼部１５で生成される燃焼ガスに接触する形態で配置された伝熱管で構成されている。
【００５６】
そして、このように再生用循環路３０に、再生用加熱部３１として再生用熱交換器３６を配置することで、空調装置２００は、除湿運転において、暖房用ファン１３及び燃焼部１５を作動させて、燃焼部１５において暖房用空気路１０を流通する室内空気を燃焼用空気として利用して燃料ガスを燃焼させることで、凝縮部３２ａで水分が凝縮された再生用ガスを、再生用熱交換器３６において、その燃焼部１５の燃焼熱により加熱して、高温低湿の再生用ガスとすることができる。そして、その高温低湿の再生用ガスを、当該デシカントロータ４０の再生部４１に通過させて、当該デシカントロータ４０の吸湿能力を再生することができる。
【産業上の利用可能性】
【００５７】
本発明に係る空調装置は、除湿機能付きのファンヒータのように、暖房運転と除湿運転とを実行可能な空調装置であって、良好な除湿能力を発揮しながら小型化が可能なものとして有効に利用可能である。
【図面の簡単な説明】
【００５８】
【図１】第１実施形態の空調装置の概略側断面図
【図２】第１実施形態の空調装置の機能ブロック図
【図３】第２実施形態の空調装置の概略側断面図
【図４】第２実施形態の空調装置の機能ブロック図
【符号の説明】
【００５９】
１０：暖房用空気路
１３：暖房用ファン
１５：燃焼部（暖房用加熱部）
２０：除湿用空気路
２３：除湿用ファン
３０：再生用循環路
３１：再生用加熱部
３２：凝縮器
３２ａ：凝縮部
３２ｂ：空冷部
３３：再生用ファン
３５：再生用電気ヒータ
３６：再生用熱交換器
４０：デシカントロータ
４１：再生部
４２：吸湿部
５０：制御部（制御手段）
５２：温度センサ（温度検出手段）
５３：湿度センサ（湿度検出手段）
１００，２００：空調装置
【図１】
0004781886.tif 000002
【図２】
0004781886.tif 000003
【図３】
0004781886.tif 000004
【図４】
0004781886.tif 000005